(57)【要約】【課題】  ユーザが任意に配光特性を変化させることができる照明用セード及び照明器具を得る。【解決手段】  金属棒５及び電球を取り付けた台座２に複数のプラスチック製ダンボール６を分離可能に積み重ねて照明用セードを構成する。プラスチック製ダンボール６は、ハシゴ状の芯材の両面にプラスチックシートを貼り合わせ、芯材の断面６ａの方向に光を透過するように形成されている。また、プラスチック製ダンボール６のほぼ中央には金属棒５を挿入する挿入孔が設けられている。【選択図】        図３
2005310526.tif 000002
【特許請求の範囲】
【請求項１】
ガイド穴が形成され光の透過する方向性を有する複数の板材からなり、前記複数の板材を分離可能に重ね合わせて前記ガイド穴により光源を配置する空間部を形成したことを特徴とする照明用セード。
【請求項２】
請求項１記載の照明用セードと、光源及び前記板材のガイド穴に挿入されるガイド部を有する照明器具本体とを備えたことを特徴とする照明器具。
【請求項３】
前記ガイド部は前記光源の周囲に配置されたことを特徴とする請求項２記載の照明器具。
【請求項４】
前記ガイド部は複数の棒で構成されたことを特徴とする請求項２記載の照明器具。
【請求項５】
前記ガイド部は透過性の筒で構成されたことを特徴とする請求項２記載の照明器具。
【請求項６】
複数積み重ねた前記板材は、少なくとも一側面をハニカム形状としたことを特徴とする請求項２ないし請求項５の何れかに記載の照明器具。
【請求項７】
前記板材はプラスチック製ダンボールを用いたことを特徴とする請求項２ないし請求項５の何れかに記載の照明器具。
【請求項８】
前記ガイド部の一端に前記板材の抜け防止用のストッパーを設けたことを特徴とする請求項２ないし請求項７の何れかに記載の照明器具。
【発明の詳細な説明】
【技術分野】
【０００１】
この発明は、照明の配光特性、デザインをユーザーが任意に変更できる照明器具に関するものである。
【背景技術】
【０００２】
段ボール製照明器具用笠を用いた照明器具として以下の技術が明らかになっている。（例えば特許文献１）
【特許文献１】特開昭５５−１４４６０４号公報（４頁４行−４頁７行、図１）
【発明の開示】
【発明が解決しようとする課題】
【０００３】
特許文献１の図１の発明の実施の形態を示す照明器具によれば、着色、印刷または貼着など２次加工による予め表面処理した複数枚の段ボールシートから、各シートに対し相互に異なる外径をそれぞれ有する複数個の同心枠をそれぞれ打抜き形成し、前記各シートからの同心枠を交互に順次重ね合せて中空体状に接合形成したので、成形に大がかりな金型や機械を使用することなく簡単な打抜き作業で例えば紙材など安価な材料ででき、２次加工をセード完成形状で行なうことなく１次加工前の材料で着色や印刷やラミネート材貼合せなどの表面処理が容易にでき、多色色付も簡単で光沢も出せ、安価で美観も向上し、しかも波形芯材の波形断面の向きによってセード内光源からの所望方向への外部への照射が可能である。
【０００４】
しかしながら、複数個の同心枠を大きさの順から交互に順次同心状に重ね合わせて中空体状に接着結合しているので、ユーザーが任意に配光特性を変化させることができない問題があった。
【０００５】
この発明は、従来装置の上記のような問題点を解決するためになされたもので、この発明によれば、ユーザーが任意に配光特性を変化させることができる照明器具を提供することを目的とする。
【課題を解決するための手段】
【０００６】
この発明にかかる照明用セードは、ガイド穴が形成され光の透過する方向性を有する複数の板材からなり、この複数の板材を分離可能に重ね合わせて、ガイド穴により光源を配置する空間部を形成したものである。
【０００７】
また、この発明にかかる照明器具は、ガイド穴が形成され光の透過する方向性を有する複数の板材からなり、この複数の板材を分離可能に重ね合わせて、ガイド穴により光源を配置する空間部を形成した照明セードと、光源及び前記板材のガイド穴に挿入されるガイド部を有する照明器具本体とを備えたものである。
【発明の効果】
【０００８】
この発明は、以上説明したように構成されているので、以下に示すような効果を奏する。
【０００９】
この発明にかかる照明器具は、ユーザーが任意に配光特性を変更できる効果がある。
【発明を実施するための最良の形態】
【００１０】
実施の形態１．
図１〜図３は、この実施の形態における照明器具の構成を示す図であり、図１は照明器具本体を示す斜視図、図２は板材であるプラスチック製ダンボールを示す斜視図、図３は図１の照明器具本体と図２のプラスチック製ダンボールを組み合わせて構成した照明器具全体の斜視図である。
【００１１】
図１に示す照明器具本体１は、台座２の略中央部にランプソケット３及び光源である電球４が取り付けられ、そのランプソケット３及び電球４の周囲にガイド部である金属棒５を備えている。台座２の略中央部にランプソケット３をネジなどで取り付け、ランプソケット３周辺部に金属棒５を立て接着剤で固定している。金属棒５は照明器具本体１の上方から見たとき４本の金属棒５は略正方形を形成していて、その略中央部にはランプソケット３を配置している。なお、台座２と金属棒５の固定方法は接着材に限らず、金属棒５の先端をネジ加工して、台座２にねじ込む取付け・固定方法としてもよく、これに限定されない。
【００１２】
図２に示すプラスチック製ダンボール６はハシゴ状の芯材７の両面にプラスチックシート８を貼り合わせて成形している。このプラスチック製ダンボール６を正方形に裁断し、略中央部を円形に切り抜いて照明器具本体１の金属棒５を挿入するガイド穴である挿入孔９を構成している。プラスチック製ダンボール６の略中央部に開けられた挿入孔９の大きさは、４本の金属棒５で形成された正方形の外接円となる大きさあるいは外接円の大きさよりも若干大きくする。なお、挿入孔の大きさはランプ交換などを考慮すると手の大きさ、例えば９０ｍｍφが好ましい。
【００１３】
図３は照明器具を示しており、この照明器具１０は台座２に複数のプラスチック製ダンボール６を積上げて構成している。プラスチック製ダンボール６の略中央部に開けられた挿入孔９を照明器具本体１に立てられた金属棒５に合わせて挿入し、同形状のプラスチック製ダンボール６を同様に照明器具本体１に立てられた金属棒５に合わせて挿入して複数重ね合わせてセード１１を構成する。プラスチック製ダンボール６同士は接着せず、分離可能である。また、セード１１のほぼ中央には複数のプラスチック製ダンボール６の挿入孔９によって空間部が形成され、この空間部に光源が配置される。同じ形状のプラスチック製ダンボール６を複数重ねたので、照明器具１０の側面形状はそれぞれ、プラスチック製ダンボール６の芯材７の断面側がハニカム形状、プラスチック製ダンボール６の芯材７を渡してある面側が壁面形状になっている。
【００１４】
プラスチック製ダンボール６のハニカム形状の面６ａ（以下ハニカム面と称す）には、ランプソケット３周辺部から照明器具１０の外側まで貫通しているので強い光が照射される。しかし、プラスチック製ダンボール６の壁面６ｂ方向へは複数の芯材７を透過せねばならず、複数のプラスチック製ダンボール６の芯材が遮光壁となって外部には弱い光が照射される。すなわち、プラスチック製ダンボール６はハニカム面の方向に光の透過の方向性を有している。なお、ランプ４の高さはセード１１の高さの略半分の位置に配置すれば美観に優れるが、低い位置に照明器具を置く場合はランプ４をセード１１の低い位置にしたほうが直接ランプ４を目視することが少なくなるので輝度が低くなり、また高い位置に照明器具を置く場合はランプ４をセード１１の高い位置にした方が直接ランプ４を目視することが少なくなるので輝度が低くなる。
【００１５】
また、プラスチック製ダンボール６のハニカム面６ａは、ランプ４が収納される内側から外側へ貫通しているため、ランプ４などの熱がプラスチック製ダンボール６の内側から外部へ抜け、ランプ４の周囲の温度上昇を抑えることができる。また、ランプ４を挿入孔９で構成され金属棒５で囲まれた空間部内に配置したため、空間部の上方からも熱が抜け、よりランプ４の周囲の温度上昇を抑えることができる。そのため、蛍光ランプなどは周囲温度が高くなると光出力が落ちる特性があるが、ランプ４の熱が発散するためランプ４の光出力効率がよい。
【００１６】
図４、図５は照明器具本体１からプラスチック製ダンボール６が抜けないようにするためのストッパーを示す図である。図４のストッパー１２は、金属棒５の上方から挿入し積み重なったプラスチック製ダンボールに当たるまで押し込む。押し込まれたストッパー１２は金属棒５との摩擦によって上下に可動せず、積み重なったプラスチック製ダンボール６を台座２の方向へ押さえる。これにより、照明器具９が倒れたときなど照明器具本体１に積み重なったプラスチック製ダンボール６がバラけることがない。また、プラスチック製ダンボール６の横方向から力が加わってもプラスチック製ダンボール６が回転することがなく、ユーザーが任意に設定した形状を維持することができる。また、ストッパーを取り付けたままの状態でユーザーがプラスチック製ダンボール６を回転できるように、ストッパーの圧力を調整可能にしてもよい。
【００１７】
なお、金属棒５及びストッパー１２をねじ加工してねじ込み式のストッパー１２としてもよく、また図５に示すようなストッパー１２などを用いてもよい。図５のストッパー１２は、円筒状の収納部１２ｂの中に止め部１２ａとバネ１２ｄが収納され、止め部１２ａをバネ１２ｄの方向へ押し込むと挿入孔１２ｃが貫通し、金属棒５を挿入することができる。挿入孔１２ｃに金属棒５を挿入した後、止め部１２ａを放すとバネ１２ｄの力で止め部１２ａは収納部１２ｂの外側へ押され、挿入孔１２ｃに挿入された金属棒５に固定され、照明器具１０からプラスチック製ダンボール６が外れるのを防止するものである。
【００１８】
図６は照明器具のセードを回動させて使用する状態を示しており、照明器具１０に積段されたプラスチック製ダンボール６を照明器具１０の下方から１枚ずつ少し回転させる。プラスチック製ダンボール６を回転させることによって、ハニカム面６ａが一方向のみではなく多方向へ向けることができる。ハニカム面６ａは光が透過するので明るくなり、壁面６ｂ方向は光を透過しにくいので暗くなる。したがって、ユーザーがプラスチック製ダンボールを回転させることによって、セード１１のデザインを変えることができるばかりでなく、光の明暗による演出が可能となっている。
【００１９】
本実施の形態において、金属棒５を４本としたが、金属棒５を３本としてもよいし５本としてもよいし、材質は金属に限らずプラスチックや木材などであってもよい。
【００２０】
また、プラスチック製ダンボール６の略中央部の挿入孔を円形状としたが、四角形状としてもよく、この場合、金属棒５を４本としてもよいし、四角形状挿入孔の対角線上の２ヶ所を固定する位置に金属棒５を照明器具本体１へ取り付けてもよい。挿入孔を四角形状とし、金属棒を螺旋状に配置すれば、挿入孔の角部に金属棒を合わせて挿入することにより、図６に示すような複数のプラスチック製ダンボール６を少しずつ回転させた状態のセードを容易に構成することができる。
【００２１】
また、有色のプラスチック製ダンボール６を用いて照明の色を変えてもよいし、色の異なるプラスチック製ダンボール６を組み合せてカラフルな照明としてもよい。
【００２２】
また、プラスチック製ダンボール６と、重なりあった他のプラスチック製ダンボール６の間にカラーフィルムを挟み込むと、カラーフィルムを透過した光はカラー変調するので、ランプ消灯時にはわからないランプ点灯時にカラー光が照射される。色の異なるカラーフィルムを用いれば、あたかも複数のカラー光源を用いているような演出ができる。
【００２３】
実施の形態２．
図７は実施の形態２における照明器具本体を示しており、実施の形態１と同様の部分について同符号を付し、説明を省略する。
【００２４】
図８は、照明器具を構成するプラスチック製ダンボール６の形状を示す図である。
プラスチック製ダンボール６はハシゴ状の芯材７の両面にプラスチックシート８を貼り合せて成形している。このプラスチック製ダンボール６を楕円形に裁断して、略中央部を円形に切り抜いて挿入孔９を構成している。なお、プラスチック製ダンボール６を楕円形に裁断する際、楕円の径が短い側に芯材７の断面が位置するように裁断する。また、プラスチック製ダンボール６の略中央部に開けられた挿入孔９の大きさは、４本の金属棒５で形成された正方形の外接円となる大きさあるいは外接円の大きさよりも若干大きくする。なお、挿入孔９の大きさはランプ交換などを考慮すると手の大きさ、例えば９０ｍｍφが好ましい。
【００２５】
図９は、照明器具１０を示しており、この照明器具１０は台座２に複数のプラスチック製ダンボール６を積上げて構成している。プラスチック製ダンボール６の略中央部に開けられた挿入孔９を照明器具本体１に立てられた金属棒５に合わせて挿入する。同形状のプラスチック製ダンボール６を同様に照明器具本体１に立てられた金属棒５に合わせて挿入して複数重ね合わせてセードを構成する。
【００２６】
プラスチック製ダンボール６の芯材７の断面側、すなわちハニカム形状の面（以下ハニカム面と称す）には、ランプソケット３周辺部から照明器具１０の外側まで貫通しているので強い光が照射される。しかし、プラスチック製ダンボール６の芯材７の面方向へは複数の芯材７を透過せねばならず、複数のプラスチック製ダンボール６の芯材７が遮光壁となって外部には弱い光が照射される。なお、芯材７の透過率及び光が透過する芯材７の枚数を変えることによって、照射量の異なる光が得られる。なお、芯材７の透過率は約３０％〜約９０％であると好ましい。したがって、金属棒５で形成された回転軸として、プラスチック製ダンボール６をユーザーが任意に回転させることで、配光特性を自由に変更することができる。
【００２７】
この実施の形態においては、楕円形のプラスチック製ダンボール６の径の短い方向、すなわち光源からプラスチック製ダンボール６の端部までの距離が短い方向にハニカム面を形成しているが、このようにプラスチック製ダンボール６のハニカム面方向を短くすると光の照射量が大きくなるとともに、芯材７の内壁を反射して透過する光が少なく芯材７内を直接通過する光が多くなるので輝度の高い明かりとなる。一方、ハニカム面方向を長くすると光の照射量が若干少なくなるとともに、芯材７の内壁を反射して透過する光が多く芯材７内を直接透過する光が少なくなり輝度の低い明かりとなる。そのため、ハニカム面方向を短くすることで、光源からプラスチック製ダンボール６の端部までの距離が短い部分と長い部分の光の明暗の差を大きくすることができ、ハニカム面方向を長くすることで光の明暗の差を小さくすることができる。
【００２８】
また、プラスチック製ダンボールの外形を楕円形にしているので、ランプからセードの外側までの距離が一定ではなく各方向の透過率が異なるため光の明暗の演出を可能としている。
【００２９】
図１０は、プラスチック製ダンボール６を回転して用いた場合を示す図である。
プラスチック製ダンボール６を徐々にずらしてらせん状に台座２に積み重ねる。ハニカム面が各方向にあるので四方八方に光が照射され、また光の明暗を任意に変化させることができ美観がよい。したがって、金属棒５を挿入する挿入孔９を回転軸として、プラスチック製ダンボール６をユーザーが任意に回転させることで、配光特性を自由に変更することができる。
【００３０】
また、プラスチック製ダンボール６のハニカム面は、ランプ４が収納される内円側から外円側へ貫通しているため、ランプ４などの熱がプラスチック製ダンボール６の内側から外部へ抜け、ランプ４の周囲の温度上昇を抑えることができる。
【００３１】
なお、上記実施の形態１、２において、フロアスタンド用のセード１１が高い場合は、レフ電球などのランプ４を低い位置に配置して下から上方へ向かってライトアップするようにしてもよい。
【００３２】
また、上記実施の形態１、２においては、プラスチック製ダンボール６の外形形状を正方形又は楕円形に裁断したが、円形としてもよいし、長方形としてもよく、裁断する外形形状にとらわれない。
【００３３】
また、外形が同形状のプラスチック製ダンボール６を組み合せてセード１１を構成したが、異なる外形のプラスチック製ダンボール６を組み合せてもよい。
【００３４】
また、照明用セードを構成する板材は、プラスチック製ダンボール６に限らず、ルーバー材あるいは特定の方向へ光を透過する光学シートなどを用いてもよく、板材の面と平行に光透過性を有し、複数枚積み重ねてセードを構成したときに、セードの側方の一部に光を透過するような光の透過の方向性を有するものであればよい。
【００３５】
実施の形態３．
図１１は実施の形態３における照明器具本体を示す斜視図であり、図１２は照明器具本体１に複数のプラスチック製ダンボール６を組み合せた照明器具の斜視図、図１３はプラスチック製ダンボール６を少しずつずらして積み重ねた場合の照明器具の斜視図である。図１１において、長い金属棒の両端部を垂直に折り曲げてコの字状に形成し、向かい合った一対の金属棒５’と金属棒５’の端部を結ぶ連結部１３で構成されている。なお、長い金属棒を折り曲げ加工したが、２本の金属棒５’の端部同士を他の金属棒で溶接などで接合してコの字状に形成してもよい。なお、実施の形態１及び実施の形態２と同様の部分については同符号を付し、説明を省略する。
【００３６】
コの字状に形成した金属棒５’の端部を台座２に嵌め込み、接着材で固定する。台座２に金属棒５’を取付けるための穴を貫通させ、金属棒５’の先をネジ加工し、ネジ加工した部分にナットなどを締め、台座２の穴に金属棒５’を挿入して先に金属棒５’に取付けたナットと挟み込むように台座２の裏側からナットなどで締めて固定してもよい。
【００３７】
もう一つのコの字状に形成した金属棒５’の連結部１３を、先に取り付けた金属棒５’の連結部１３と交差するように台座２の穴に取付け、同様に接着剤などで固定する。プラスチック製ダンボール６の打抜き部に金属棒５’を挿入する。同形状のプラスチック製ダンボール６を積上げていき、プラスチック製ダンボール６でセード１１を形成する。金属棒５’の対角位置に配置している金属棒５’の端部が繋がっているので、プラスチック製ダンボール６を照明器具本体１に挿入する際など、金属棒５’が照明器具１０の内側方向へ押される力に対して強化できる。
【００３８】
積上げたプラスチック製ダンボール６が照明器具１０から外れないように、金属棒５’に図１４に示す形状のストッパー１２’を取り付ける。ストッパー１２’はプラスチック板で構成され、金属棒５’を挿入するための挿入部１４、金属棒５’を挿入した後、ストッパーが上下に移動しないように固定するための固定部１５を備えてなり、クリップ形状になっている。なお、このストッパー１２’の挿入部１４及び固定部１５は弾性を有していればよく、ゴム製のものであってもよい。
【００３９】
次にストッパー１２’の取り付け方法について説明する。
台座２に積上げられたプラスチック製ダンボール６から突出している金属棒５’にストッパー１２’の挿入部１４をあてる。ストッパー１２’を金属棒５’へ押し込むと、挿入部１４が開いて金属棒５’が固定部１５へ挿入される。固定部１５は金属棒５’の径より若干小さくしており、固定部１５へ金属棒５’が挿入されると金属棒５’に固定部１５が固着され、セード１１が照明器具１０から外れるのを防止できる。
【００４０】
また、図１５（ａ）に示すように、ストッパー１２’は金属棒５’間よりも長いプラスチック板材で形成してもよい。なお、図１２、図１３は、図１５（ａ）に示すストッパーを用いた場合の照明器具を示している。この場合、プラスチック板材の両端部を凹部１６状にし、凹部１６の幅は金属棒５’の幅とほぼ同じにする。このプラスチック板材のアーム部１７を所定角度を持たせて折り曲げ、側面から見ると弓形状になるようにしている。
【００４１】
このストッパーの取付け方法を説明する。
金属棒５’にストッパー１２’の凹部１６を嵌め込み、ストッパー１２’のアーム部１７を押し曲げるようにしてもう一方の凹部１６を金属棒５’に嵌め込む。次にストッパー１２’の曲がった部分を金属棒５’の連結部１３にスライドさせて嵌め込み、ストッパー１２’の弓形状の湾曲部を金属棒５’に接触させる。このとき、ストッパー１２’は２本の金属棒５’と連結部１３に挟み込まれ、ストッパー１２’の弾性力は台座２に積上げられたプラスチック製ダンボール６の方向へ力が働き、この力がプラスチック製ダンボール６を固定する固定力となる。この固定力は２．２８ｋｇ／ｃｍ２〜６．９６ｋｇ−ｃｍ２であるとプラスチック製ダンボール６が変形することがなく、かつプラスチック製ダンボール６が回転することがない。なお、プラスチック製ダンボール６のフラットクラッシュ強度以下であれば変形することがなく、この数値に限定されない。
【００４２】
また、ストッパー１２’の連結部１３と接触のする部分をＶ字状に加工することで、ストッパー１２’が連結部１３から外れてしまうことを防止でき、より確実にセード１１が照明器具１０から外れてしまうことを防止できるとともに、セード１１の形状を維持することができる。
【００４３】
また、ストッパー１２’の両端部に凹部１６を設けるようにしたが、図１５（ｂ）に示すように、端部の側面に互い違いに凹部１６を設け、ストッパー１２’を金属棒５’に差し込む際、回転して挿入するようにしてもよい。
【００４４】
また、ストッパー１２’を上方からみるとストッパー１２’のアーム部１７はＩ字状であったが、図１５（ｃ）及び図１５（ｄ）に示すように、ストッパー１２’のアーム部１７を十字状にして各端部に凹部１６を設けるようにしてもよい。
【００４５】
また、ストッパー１２’の端部とプラスチック製ダンボール６との接触面積を大きくすれば、ストッパー１２’はプラスチック製ダンボール６をより強く固定できる。
【００４６】
なお、本実施の形態ではプラスチック製ダンボール６の外形形状を正方形に裁断したが、円形としてもよいし、長方形としてもよく、裁断する外形形状にとらわれない。
【００４７】
実施の形態４．
図１６、図１７は、その他の形状の金属棒を用いて照明器具を構成した場合の例を示す図であり、図１６は照明器具本体を示す斜視図、図１７は照明器具本体１に複数のプラスチック製ダンボール６を組み合せた照明器具の斜視図である。図１６に示すように、この実施の形態における金属棒は、長い金属棒を曲げて湾曲部１３’を形成し、Ｕ字状に加工している。
【００４８】
Ｕ字状に形成した金属棒５’の端部を台座２に嵌め込み、接着材で固定する。台座２に金属棒５’を取り付けるための穴を貫通させ、金属棒５’の先をネジ加工しネジ加工した部分にナットなどを締め、台座２の穴に金属棒５’を挿入して先に金属棒５’に取付けたナットと挟み込むように台座２の裏側からナットなどで締めて固定してもよい。もう一つのＵ字状に形成した金属棒５’の湾曲部１３’を、前記金属棒５’の湾曲部１３’と交差するように台座２の穴に取付け、前記同様に接着剤などで固定する。なお、実施の形態１〜実施の形態３と同様の部分については同符号を付し、説明を省略する。
【００４９】
プラスチック製ダンボール６の打抜き部に金属棒５’を挿入する。同形状のプラスチック製ダンボール６を積上げていき、プラスチック製ダンボール６でセード１１を形成する。Ｕ字状に金属棒５’を構成したので、Ｕ字状の湾曲部１３’がプラスチック製ダンボール６を挿入する際の挿入孔９をガイドし、プラスチック製ダンボール６を照明器具本体１へ容易に取り付けることができる。なお、Ｕ字状の金属棒５’に限らず、図１８に示すように、Ｕ字状の金属棒５’の湾曲部１３’を略直線で形成して照明器具１０の内側方向に斜辺部を設けて、プラスチック製ダンボール６を挿入しやすくしてもよい。
【００５０】
また、金属棒５’の対角位置に配置している金属棒５’同士は互いに湾曲部を介して繋がっているので、プラスチック製ダンボール６を照明器具本体１に挿入する際など、金属棒５’が照明器具１０の内側方向へ押される力に対して強化できる。
【００５１】
なお、本実施の形態ではプラスチック製ダンボール６の外形形状を正方形に裁断したが、円形としてもよいし、長方形としてもよく、裁断する外形形状にとらわれない。
【００５２】
実施の形態５．
図１９〜図２１は本実施の形態を示している。
図１９において、長い金属棒を鋭角に曲げ曲げ部Ａを形成し、曲げ部Ａの曲げ方向とは反対側へ曲げ曲げ部Ｂを形成し、さらに曲げ部Ｂとは反対側に曲げ曲げ部Ｃを形成している。このとき、曲げ部Ａと曲げ部Ｃの折り曲げ角度は略等しく、金属棒５’と他の金属棒５’は平行にし、金属棒５’はＭ字状に形成している。なお、実施の形態１〜実施の形態４と同様の部分については同符号を付し、説明を省略する。
【００５３】
Ｍ字状に形成した金属棒５’の端部を台座２に嵌め込み、接着材で固定する。台座２に金属棒５’を取付けるための穴を貫通させ、金属棒５’の先をネジ加工しネジ加工した部分にナットなどを締め、台座２の穴に金属棒５’を挿入して先に金属棒５’に取り付けたナットと挟み込むように台座２の裏側からナットなどで締めて固定してもよい。もう一つのＭ字状に形成した金属棒５’の曲げ部Ｂを、前記金属棒５’の曲げ部Ｂと交差するように台座２の穴に取付け、前記同様に接着剤などで固定する。
【００５４】
プラスチック製ダンボールの打抜き部に金属棒５を挿入する。同形状のプラスチック製ダンボールを積上げていき、プラスチック製ダンボールでセードを形成する。図２１（ａ）のストッパー１２’は金属棒５’間よりも長いプラスチック板材で形成し、プラスチック板材の両端部を凹部１６状にし、両端部の凹部１６の内壁と凹部１６の内壁の間は、１対の金属棒５’の内側距離とほぼ等しい。また、それぞれの凹部１６の幅は金属棒５’の幅とほぼ同じにする。
【００５５】
このストッパー１２’の取付け方法を説明する。
金属棒５’にストッパー１２’の凹部１６を嵌め込み、ストッパー１２’のアーム部１７をセード１１の内側へ押し曲げてアーム部１７を撓ませながらもう一方の凹部１６を金属棒５’に嵌め込む。次に撓ませたアーム部１７をストッパー１２’の曲げ部Ｂに接触させる。このとき、ストッパー１２’は２本の金属棒５’と曲げ部Ｂに挟み込まれ、ストッパー１２’の弾性力は、台座２に積上げられたプラスチック製ダンボール６の方向へ力が働き、この力がプラスチック製ダンボールを固定する固定力となる。この固定力は２．２８ｋｇ／ｃｍ２〜６．９６ｋｇ−ｃｍ２であるとプラスチック製ダンボールを変形させることがなく、かつプラスチック製ダンボールが回転することがない。なお、プラスチック製ダンボール６のフラットクラッシュ強度以下であれば変形することがなく、この数値に限定されない。
【００５６】
また、ストッパー１２’の曲げ部Ｂと接触のする部分をＶ字状に加工することで、ストッパー１２’が曲げ部Ｂから外れてしまうことを防止でき、より確実にセード１１が照明器具１０から外れてしまうことを防止できるとともに、セード１０の形状を維持することができる。
【００５７】
また、ストッパー１２’の両端部に凹部１６を設けるようにしたが、図２１（ｂ）に示すように、端部の側面に互い違いに凹部１６を設け、ストッパー１２’を金属棒５’に差し込む際、回転して挿入するようにしてもよい。
【００５８】
また、ストッパー１２’を上方からみるとストッパーのアーム部１７はＩ字状であったが、図２１（ｃ）及び図２１（ｄ）に示すように、ストッパーのアーム部１７を十字状にして各端部に凹部１６を設けるようにしてもよい。
【００５９】
また、ストッパー１２’の端部とプラスチック製ダンボール６との接触面積を大きくすれば、ストッパー１２’とプラスチック製ダンボール６が外れにくくできる。
【００６０】
また、曲げ部Ｂは、曲げ部Ａまたは曲げ部Ｃより下側に位置しているので、ストッパー１２’はプラスチックの平板など簡易なものでセード１１が照明器具１０から外れるのを防止することができる。
【００６１】
なお、本実施の形態ではプラスチック製ダンボール６の外形形状を正方形に裁断したが、円形としてもよいし、長方形としてもよく、裁断する外形形状にとらわれない。
【００６２】
実施の形態６．
図２２、図２３は本実施の形態を示している。
台座２にランプソケット３を立て、その周囲を囲むように透明アクリル製円筒１８をガイド部として立てる。透明アクリル製円筒１８の端部を台座２に接着剤などで固定する。プラスチック製ダンボール６の挿入孔９を円筒に挿入して、複数プラスチック製ダンボール６を積み重ねてセード１１を構成している。
【００６３】
透明アクリル製円筒１８の台座取り付け端部とは反対側の端部は、ねじ切り加工をしてある。透明アクリル製円筒のねじ切り加工部にストッパー１２を捩じ込んでセード１１を台座２方向へ抑えて、セード１１が照明器具１０から外れるのを防止する。
【００６４】
また、本実施の形態では透明アクリルの円筒を用いたが、透明アクリルに限らず光が透過するものであればよく、また形状は円筒に限らず四角柱などであってもよい。
【００６５】
また、本実施の形態ではプラスチック製ダンボール６の外形形状を正方形に裁断したが、円形としてもよいし、長方形としてもよく、裁断する外形形状にとらわれない。
【００６６】
なお、上記の各実施の形態においては、ガイド部である金属棒や透明アクリル製円筒と光源とを別に構成したが、ガイド部自体を光源としても良い。例えばガイド部にＬＥＤを配置したり、台座に光源を埋め込んだりする構成も可能である。また、上記各実施の形態に示す形状のセードを天井から吊り下げる照明器具のセードとして用いるようにしても良い。この場合、台座の上部に天井より吊り下げる吊り下げ部を設け、下方に金属棒等からなるガイド部を設け、ガイド部の下端部にプラスチック製ダンボールの抜けを防止する部材を取り付けるようにすればよい。
【図面の簡単な説明】
【００６７】
【図１】この発明の実施の形態１の構成を示す照明器具本体の斜視図である。
【図２】この発明の実施の形態１の構成を示すプラスチック製ダンボールの斜視図である。
【図３】この発明の実施の形態１の構成を示す照明器具の斜視図である。
【図４】この発明の実施の形態１のストッパーの斜視図及び断面図である。
【図５】この発明の実施の形態１の他のストッパーの斜視図及び断面図である。
【図６】この発明の実施の形態１のセードを回動させたときの状態を示す図である。
【図７】この発明の実施の形態２の構成を示す照明器具本体の斜視図である。
【図８】この発明の実施の形態２の構成を示すプラスチック製ダンボールの斜視図である。
【図９】この発明の実施の形態２の構成を示す照明器具の斜視図である。
【図１０】この発明の実施の形態２のセードを回動させたときの状態を示す図である。
【図１１】この発明の実施の形態３の構成を示す照明器具本体の斜視図である。
【図１２】この発明の実施の形態３の構成を示す照明器具の斜視図である。
【図１３】この発明の実施の形態３のセードを回動させたときの状態を示す図である。
【図１４】この発明の実施の形態３のストッパーの斜視図である。
【図１５】この発明の実施の形態３の他のストッパーの斜視図である。
【図１６】この発明の実施の形態４の構成を示す照明器具本体の斜視図である。
【図１７】この発明の実施の形態４の構成を示す照明器具の斜視図である。
【図１８】この発明の実施の形態４の構成を示す他の照明器具本体の斜視図である。
【図１９】この発明の実施の形態５の構成を示す照明器具本体の斜視図である。
【図２０】この発明の実施の形態５の構成を示す照明器具の斜視図である。
【図２１】この発明の実施の形態５のストッパーの斜視図である。
【図２２】この発明の実施の形態６の構成を示す照明器具本体の斜視図である。
【図２３】この発明の実施の形態６の構成を示す照明器具の斜視図である。
【符号の説明】
【００６８】
１  照明器具本体、２  台座、３  ランプソケット、４  ランプ、５、５’  金属棒、６  プラスチック製ダンボール、７  芯材、８  プラスチックシート、９  挿入孔、１０  照明器具、１１  セード、１２、１２’  ストッパー、１３  連結部、１３’  湾曲部、１４  挿入部、１５  固定部、１６  凹部、１７  アーム部、１８  アクリル製円筒。
【図１】
2005310526.tif 000003
【図２】
2005310526.tif 000004
【図３】
2005310526.tif 000005
【図４】
2005310526.tif 000006
【図５】
2005310526.tif 000007
【図６】
2005310526.tif 000008
【図７】
2005310526.tif 000009
【図８】
2005310526.tif 000010
【図９】
2005310526.tif 000011
【図１０】
2005310526.tif 000012
【図１１】
2005310526.tif 000013
【図１２】
2005310526.tif 000014
【図１３】
2005310526.tif 000015
【図１４】
2005310526.tif 000016
【図１５】
2005310526.tif 000017
【図１６】
2005310526.tif 000018
【図１７】
2005310526.tif 000019
【図１８】
2005310526.tif 000020
【図１９】
2005310526.tif 000021
【図２０】
2005310526.tif 000022
【図２１】
2005310526.tif 000023
【図２２】
2005310526.tif 000024
【図２３】
2005310526.tif 000025